(57)【特許請求の範囲】
【請求項１】
ユーザの足に接触する足電極と、ユーザの手に接触する手電極と、前記足電極が設けられる載置部と、この載置部に設けられてユーザの体重を測定する体重測定部とを含む生体情報測定装置において、
前記体重測定部を用いた体重測定が可能な状態にあるか否かを判定する第１測定判定と、前記手電極を用いた電圧測定が可能な状態にあるか否かを判定する第２測定判定とを行い、前記体重測定部を用いた体重測定ができない状態にある旨判定したとき、かつ前記手電極を用いた電圧測定が可能な状態にある旨判定したとき、ユーザにより体重情報が新たに入力されたか否かを判定する第１情報判定と、前記体重測定部を用いた体重の測定が新たに行われたか否かを判定する第２情報判定との少なくとも一方を行う判定処理と、
この判定処理により前記体重測定部を用いた体重測定ができない状態にある旨判定されたとき、かつ前記手電極を用いた電圧測定が可能な状態にある旨判定されたとき、前記第１情報判定および前記第２情報判定の少なくとも一方について肯定の判定結果が得られるまでは生体情報の算出を保留し、肯定の判定結果が得られた後において、ユーザにより新たに入力された体重情報または前記体重測定部を用いて新たに行われた体重測定の測定結果と、前記手電極により測定された電圧の測定値とを用いて生体情報を算出する測定処理とを行う
ことを特徴とする生体情報測定装置。
【請求項２】
請求項１に記載の生体情報測定装置において、
前記判定処理では、前記足電極および前記手電極の通電状態を判定し、前記足電極および前記手電極のうちの前記手電極のみが通電可能な状態にある旨判定したとき、前記体重測定部を用いて体重測定を行うことができない状態にある旨判定する
ことを特徴とする生体情報測定装置。
【請求項３】
請求項１または２に記載の生体情報測定装置において、
前記判定処理により前記体重測定部を用いた体重測定ができない状態にある旨判定されたとき、ユーザに対して体重情報の入力を促す情報、およびユーザに対して前記体重測定部を用いた体重の測定を促す情報の少なくとも一方を提供する提供処理を行う
ことを特徴とする生体情報測定装置。
【請求項４】
請求項１〜３のいずれか一項に記載の生体情報測定装置において、
生体情報を測定するための測定モードとして、前記足電極および前記手電極を用いて生体情報を測定する第１測定モードと、前記足電極および前記手電極のうちの前記足電極のみを用いて生体情報を測定する第２測定モードと、前記足電極および前記手電極のうちの前記手電極のみを用いて生体情報を測定する第３測定モードとを備え、
前記判定処理では、前記足電極を用いた電圧測定が可能な状態にあるか否かを判定する第３測定判定をさらに行い、
前記判定処理および前記測定処理に加えて、前記第２測定判定および前記第３測定判定の判定結果に基づいて、前記第１測定モードおよび前記第２測定モードおよび前記第３測定モードの中から生体情報の測定が可能な測定モードである測定可能モードを選択する選択処理を行う
ことを特徴とする生体情報測定装置。
【請求項５】
請求項４に記載の生体情報測定装置において、
前記判定処理では、前記第２測定判定として前記手電極の通電が手所定時間以上にわたり継続されているか否かを判定し、前記第３測定判定として前記足電極の通電が足所定時間以上にわたり継続されているか否かを判定し、
前記選択処理では、前記判定処理の判定結果に基づいて、次の（Ａ）〜（Ｃ）のように前記測定可能モードを選択する
（Ａ）前記手電極の通電が前記手所定時間以上にわたり継続されている旨判定したとき、かつ前記足電極の通電が前記足所定時間以上にわたり継続されている旨判定したとき、前記第１測定モードおよび前記第２測定モードおよび前記第３測定モードの中から前記測定可能モードを選択する
（Ｂ）前記手電極の通電が前記手所定時間以上にわたり継続されていない旨判定したとき、かつ前記足電極の通電が前記足所定時間以上にわたり継続されている旨判定したとき、前記第２測定モードを前記測定可能モードとして選択する
（Ｃ）前記手電極の通電が前記手所定時間以上にわたり継続されている旨判定したとき、かつ前記足電極の通電が前記足所定時間以上にわたり継続されていない旨判定したとき、前記第３測定モードを前記測定可能モードとして選択する
ことを特徴とする生体情報測定装置。
【請求項６】
請求項４または５に記載の生体情報測定装置において、
前記選択処理では、前記判定処理により前記手電極を用いた電圧測定が可能な状態にある旨判定されたとき、かつ前記足電極を用いた電圧測定が可能な状態にある旨判定されたとき、前記第１測定モードを前記測定可能モードとして選択する
ことを特徴とする生体情報測定装置。
【発明の詳細な説明】
【技術分野】
【０００１】
本発明は、ユーザの足に接触する足電極と、ユーザの手に接触する手電極と、足電極が設けられる載置部と、この載置部に設けられてユーザの体重を測定する体重測定部とを含む生体情報測定装置に関する。
【背景技術】
【０００２】
上記生体情報測定装置の一例として、特許文献１に記載のものが挙げられる。
この文献の生体情報測定装置は、足電極および手電極の少なくとも一方を用いてインピーダンスの測定を行う。また、体重測定部を用いて体重測定を行うことができない状態にあるとき、かつ現在から過去の所定時期までの期間に測定された体重のデータが記憶されているとき、測定されたインピーダンスと過去の体重情報とを用いて生体情報を算出する。また、体重測定部を用いて体重測定を行うことができない状態にあるとき、かつ現在から過去の所定時期までの期間に測定された体重のデータが記憶されていないとき、次の（ａ）〜（ｃ）のいずれかの処理を行う。
（ａ）足電極および手電極を用いた生体情報の測定を促すメッセージを表示する。
（ｂ）手電極のみを用いた生体情報の測定を禁止する。
（ｃ）補正処理を行うことなく手電極を用いて生体情報の測定を行う。
【０００３】
なお、特許文献１の段落［０１０５］〜［０１１０］および図１２および図１３の記載によれば、上記補正処理は次の内容のものと考えられる。すなわち、手電極を用いて測定された生体情報と、所定期間内に手電極および足電極を用いて測定された生体情報とを一致させるための補正値を算出し、手電極を用いて測定された生体情報に同補正値を適用する処理と考えられる。
【先行技術文献】
【特許文献】
【０００４】
【特許文献１】特開２００７−１９０１４２号公報
【発明の概要】
【発明が解決しようとする課題】
【０００５】
上記生体情報測定装置において、上記（ａ）または（ｂ）の処理が選択されたときには、手電極のみを用いた生体情報の測定を行うことができない。このため、ユーザが手電極のみを用いた生体情報の測定を希望しているときには、そうしたユーザの希望に応えられないことになる。また、上記（ｃ）の処理が選択されたときには、補正処理が行われることなく生体情報の測定が行われるため、測定結果として得られた生体情報が実際の生体の状態を適切に反映していないおそれがある。
【０００６】
本発明はこのような課題に着目してなされたものであり、その目的は、体重測定部を用いた体重測定ができない状態にあるとき、かつ手電極を用いた生体情報の測定が行われるときに生体情報を適切に算出することのできる生体情報測定装置を提供することにある。
【課題を解決するための手段】
【０００７】
以下、上記目的を達成するための手段について記載する。
・本発明の生体情報測定装置は、ユーザの足に接触する足電極と、ユーザの手に接触する手電極と、前記足電極が設けられる載置部と、この載置部に設けられてユーザの体重を測定する体重測定部とを含む生体情報測定装置において、前記体重測定部を用いた体重測定が可能な状態にあるか否かを判定する第１測定判定と、前記手電極を用いた電圧測定が可能な状態にあるか否かを判定する第２測定判定とを行い、前記体重測定部を用いた体重測定ができない状態にある旨判定したとき、かつ前記手電極を用いた電圧測定が可能な状態にある旨判定したとき、ユーザにより体重情報が新たに入力されたか否かを判定する第１情報判定と、前記体重測定部を用いた体重の測定が新たに行われたか否かを判定する第２情報判定との少なくとも一方を行う判定処理と、この判定処理により前記体重測定部を用いた体重測定ができない状態にある旨判定されたとき、かつ前記手電極を用いた電圧測定が可能な状態にある旨判定されたとき、前記第１情報判定および前記第２情報判定の少なくとも一方について肯定の判定結果が得られるまでは生体情報の算出を保留し、肯定の判定結果が得られた後において、ユーザにより新たに入力された体重情報または前記体重測定部を用いて新たに行われた体重測定の測定結果と、前記手電極により測定された電圧の測定値とを用いて生体情報を算出する測定処理とを行うことを特徴とする。
【０００８】
・この生体情報測定装置においては、前記判定処理では、前記足電極および前記手電極の通電状態を判定し、前記足電極および前記手電極のうちの前記手電極のみが通電可能な状態にある旨判定したとき、前記体重測定部を用いて体重測定を行うことができない状態にある旨判定することが好ましい。
【０００９】
・この生体情報測定装置においては、前記判定処理により前記体重測定部を用いた体重測定ができない状態にある旨判定されたとき、ユーザに対して体重情報の入力を促す情報、およびユーザに対して前記体重測定部を用いた体重の測定を促す情報の少なくとも一方を提供する提供処理を行うことが好ましい。
【００１０】
・この生体情報測定装置においては、生体情報を測定するための測定モードとして、前記足電極および前記手電極を用いて生体情報を測定する第１測定モードと、前記足電極および前記手電極のうちの前記足電極のみを用いて生体情報を測定する第２測定モードと、前記足電極および前記手電極のうちの前記手電極のみを用いて生体情報を測定する第３測定モードとを備え、前記判定処理では、前記足電極を用いた電圧測定が可能な状態にあるか否かを判定する第３測定判定をさらに行い、前記判定処理および前記測定処理に加えて、前記第２測定判定および前記第３測定判定の判定結果に基づいて、前記第１測定モードおよび前記第２測定モードおよび前記第３測定モードの中から生体情報の測定が可能な測定モードである測定可能モードを選択する選択処理を行うことが好ましい。
【００１１】
・この生体情報測定装置においては、前記判定処理では、前記第２測定判定として前記手電極の通電が手所定時間以上にわたり継続されているか否かを判定し、前記第３測定判定として前記足電極の通電が足所定時間以上にわたり継続されているか否かを判定し、前記選択処理では、前記判定処理の判定結果に基づいて、次の（Ａ）〜（Ｃ）のように前記測定可能モードを選択する。
【００１２】
（Ａ）前記手電極の通電が前記手所定時間以上にわたり継続されている旨判定したとき、かつ前記足電極の通電が前記足所定時間以上にわたり継続されている旨判定したとき、前記第１測定モードおよび前記第２測定モードおよび前記第３測定モードの中から前記測定可能モードを選択する。
【００１３】
（Ｂ）前記手電極の通電が前記手所定時間以上にわたり継続されていない旨判定したとき、かつ前記足電極の通電が前記足所定時間以上にわたり継続されている旨判定したとき、前記第２測定モードを前記測定可能モードとして選択する。
【００１４】
（Ｃ）前記手電極の通電が前記手所定時間以上にわたり継続されている旨判定したとき、かつ前記足電極の通電が前記足所定時間以上にわたり継続されていない旨判定したとき、前記第３測定モードを前記測定可能モードとして選択することが好ましい。
【００１５】
・この生体情報測定装置においては、前記選択処理では、前記判定処理により前記手電極を用いた電圧測定が可能な状態にある旨判定されたとき、かつ前記足電極を用いた電圧測定が可能な状態にある旨判定されたとき、前記第１測定モードを前記測定可能モードとして選択することが好ましい。
【発明の効果】
【００１６】
本発明によれば、体重測定部を用いた体重測定ができない状態にあるとき、かつ手電極を用いた生体情報の測定が行われるときに生体情報を適切に算出することのできる生体情報測定装置を提供することができる。
【図面の簡単な説明】
【００１７】
【図１】本発明の第１実施形態の生体情報測定装置について、（ａ）は本体装置に把持装置が取り付けられた状態の斜視構造を示す全体斜視図、（ｂ）は本体装置から把持装置が取り外された状態の斜視構造を示す全体斜視図。
【図２】同実施形態の生体情報測定装置の電気的構成を示すブロック図。
【図３】同実施形態の生体情報測定装置について、（ａ）は全身測定モードのときのユーザの状態を示す模式図、（ｂ）は両足測定モードのときのユーザの状態を示す模式図、（ｃ）は両手測定モードのときのユーザの状態を示す模式図。
【図４】同実施形態の生体情報測定装置により行われる「基本測定処理」について、その手順を示すフローチャート。
【図５】同実施形態の生体情報測定装置により行われる「測定モード選択処理」について、その手順を示すフローチャート。
【図６】同実施形態の生体情報測定装置により行われる「体重データ選択処理」について、その手順を示すフローチャート。
【図７】本発明の第２実施形態の生体情報測定装置について、同装置により行われる「測定モード選択処理」の手順を示すフローチャート。
【発明を実施するための形態】
【００１８】
（第１実施形態）
図１〜図６を参照して、本発明の第１実施形態について説明する。
図１に、生体情報測定装置１の構成を示す。なお、図１（ａ）は把持装置２０が本体装置１０に取り付けられた状態を示す。また、図１（ｂ）は把持装置２０が本体装置１０から取り外された状態を示す。
【００１９】
生体情報測定装置１は、生体情報の測定のためにユーザの両足が載せられる本体装置１０と、生体情報の測定のためにユーザにより把持される把持装置２０とを含む。これら本体装置１０および把持装置２０は通信用のコード１８により互いに接続されている。
【００２０】
本体装置１０には、ユーザの足を載せるための載置部１１と、生体情報測定装置１の電源をオンおよびオフするための電源スイッチ１６と、把持装置２０の把持本体部２５を載せるためのホルダ１７とが設けられている。
【００２１】
載置部１１には、ユーザの足に接触してインピーダンスを測定するための足電極１２と、ユーザの体重を測定するための荷重センサ１５とが設けられている。足電極１２は、ユーザの足に電流を流すための一対の足通電電極１３と、生体内を流れる電流の電圧を測定するための一対の足測定電極１４とにより構成されている。なお、荷重センサ１５は体重測定部に相当する。
【００２２】
把持装置２０には、生体情報の測定時にユーザにより把持される把持部２１と、生体情報の測定のためにユーザにより操作される把持本体部２５とが設けられている。
把持部２１には、ユーザの手に接触してインピーダンスを測定するための手電極２２が設けられている。手電極２２は、ユーザの手に電流を流すための一対の手通電電極２３と、生体内を流れる電流の電圧を測定するための一対の手測定電極２４とにより構成されている。
【００２３】
把持本体部２５には、測定結果等を表示するための表示部３０と、複数のボタンを含む入力部４１と、過去の生体情報の測定結果を表示するための比較ボタン４２と、表示部３０に表示される測定結果等を切り替えるための切替ボタン４３とが設けられている。入力部４１には、ユーザ毎に予め登録されたユーザ情報を呼び出すためのユーザボタンと、ユーザが各種の情報を入力するときに数値や項目の内容等を変更するための選択ボタンと、入力内容を決定するための設定ボタンとが設けられている。
【００２４】
図２を参照して、生体情報測定装置１の電気的な構成について説明する。
生体情報測定装置１は、生体情報の測定を行うための電極等を含む測定部６０と、入力部４１から送信された情報等に基づいて演算部５１により各種の演算を行う制御部５０とを含む。測定部６０は、荷重センサ１５および足通電電極１３および足測定電極１４および手通電電極２３および手測定電極２４を含む。またこの他に、制御部５０の演算結果が記憶されるとともに制御部５０での演算に必要となる計算式等が予め記憶された記憶部７０を含む。
【００２５】
入力部４１および測定部６０および記憶部７０と制御部５０との間では次のように信号の送受信が行われる。すなわち制御部５０には、入力部４１により入力された情報、荷重センサ１５の検出値、足測定電極１４の検出値および手測定電極２４の検出値が入力される。また記憶部７０には、制御部５０に入力された情報および各検出値、ならびに制御部５０の演算結果が記憶される。また記憶部７０からは、演算結果のデータおよび予め記憶されている演算式等のデータが必要に応じて制御部５０により読み出される。また足通電電極１３および手通電電極２３には、通電のための指令信号が制御部５０から送信される。また表示部３０には、表示のための指令信号が制御部５０から送信される。
【００２６】
演算部５１は、生体情報としての複数の測定項目の演算を行う。測定項目としては、例えば「体重」、「ＢＭＩ」、「体脂肪率」、「筋肉レベル」、「基礎代謝」、「内臓脂肪レベル」、「皮下脂肪率」、「骨量」、「体組成年齢」および「バランス年齢」が挙げられる。
【００２７】
図３を参照して、全身のインピーダンスを測定する全身測定モード、および両足間のインピーダンスを測定する両足測定モード、および両手間のインピーダンスを測定する両手測定モードにおける生体情報の測定態様について説明する。
【００２８】
図３（ａ）に示されるように、足通電電極１３および足測定電極１４と、手通電電極２３および手測定電極２４とがそれぞれユーザの両足および両手に接触しているとき、全身測定モードが選択される。このとき、足通電電極１３および手通電電極２３により右手右足間および左手左足間に電流が流されるとともに足測定電極１４および手測定電極２４により同電流の電圧が測定される。また、荷重センサ１５により体重に応じた電圧の変化が測定される。なお、全身測定モードは第１測定モードに相当する。
【００２９】
図３（ｂ）に示されるように、足通電電極１３および足測定電極１４がユーザの両足に接触しているとき、かつ手通電電極２３および手測定電極２４がユーザの両手に接触していないとき、両足測定モードが選択される。このとき、足通電電極１３によりユーザの両足間に電流が流されるとともに足測定電極１４により同電流の電圧が測定される。また、荷重センサ１５により体重に応じた電圧の変化が測定される。なお、両足測定モードは第２測定モードに相当する。
【００３０】
図３（ｃ）に示されるように、手通電電極２３および手測定電極２４がユーザの両手に接触しているとき、かつ足通電電極１３および足測定電極１４がユーザの両足に接触していないとき、両手測定モードが選択される。このとき、手通電電極２３によりユーザの両手間に電流が流されるとともに手測定電極２４により同電流の電圧が測定される。なお、両手測定モードは第３測定モードに相当する。
【００３１】
図４を参照して、生体情報測定装置１により実行される「基本測定処理」について説明する。なお、この処理は、ユーザにより電源スイッチ１６がオンに切り替えられたときに開始され、最後のステップまで処理が進んだ後に終了される。
【００３２】
ステップＳ１１０において、登録ボタンが操作された旨判定したとき、ステップＳ１２０において新規のユーザ登録のための登録モードを開始する。登録モードでは、ユーザ登録のために必要となる情報の入力を案内する内容を表示部３０に表示する。ユーザは、表示部３０に表示された内容に従い入力部４１を操作し、ユーザ情報として年齢および性別および身長を入力する。制御部５０は、入力されたユーザ情報とユーザ番号とを対応付けて記憶部７０に記憶する。
【００３３】
ステップＳ１１０において、登録ボタンが操作されていない旨判定したとき、かつステップＳ１３０においてユーザボタンが操作された旨判定したとき、ステップＳ１４０以降の処理を行う。
【００３４】
ステップＳ１１０において、登録ボタンの操作が行われていない旨判定したとき、かつステップＳ１３０においてユーザボタンが操作されていない旨判定したとき、ステップＳ２１０以降の処理を行う。
【００３５】
ステップＳ２１０において、ユーザが体重測定状態にある旨判定したとき、すなわちユーザが載置部１１の上にいる旨判定したとき、ステップＳ２３０において体重測定モードによりユーザの体重のみを測定する。ステップＳ２１０において肯定の判定結果が得られたときには、ユーザがユーザ情報を呼び出すためのユーザボタンを操作することなく載置部１１上に移動した状態にある。このため、ステップＳ２３０では測定結果の算出のためにユーザ情報を必要としない体重の測定のみを行う。
【００３６】
ステップＳ２１０において、ユーザが体重測定状態にない旨判定したとき、ステップＳ２２０において、電源スイッチ１６がオンに切り替えられてから現在までの時間（以下、「オン経過時間ＴＡ」）がオン判定時間ＴＢ以上か否かを判定する。
【００３７】
ステップＳ２２０において、オン経過時間ＴＡがオン判定時間ＴＢ以上である旨判定したとき、ステップＳ２４０の処理において電源スイッチ１６をオフにする。オン経過時間ＴＡがオン判定時間ＴＢ以上のときには、ユーザが生体情報測定装置１を用いて生体情報の測定を行う準備ができていないと予測される。このため、ステップＳ２４０では電源スイッチ１６をオフにする。
【００３８】
ステップＳ２２０において、オン経過時間ＴＡがオン判定時間ＴＢ未満である旨判定したとき、ステップＳ１１０の処理を再び行う。ステップＳ２２０において否定の判定結果が得られたときには、ユーザにより生体情報測定装置１を用いた生体情報の測定が行われる可能性があるため、電源スイッチ１６のオフを保留する。
【００３９】
ステップＳ１４０以降の各処理の詳細について説明する。
ステップＳ１４０において、ユーザにより操作されたユーザボタンに対応したユーザ情報を記憶部７０から読み出す。
【００４０】
ステップＳ１５０において、全身測定モードおよび両足測定モードおよび両手測定モードの中から生体情報の測定が可能な測定モード（以下、「測定可能モード」）を選択するための図５の「測定モード選択処理」を行う。測定可能モードとして、足電極１２および手電極２２のうちの手電極２２のみを用いる両手測定モードが選択されたとき、体重の情報を取得するための図６の「体重データ選択処理」を行う。
【００４１】
ステップＳ１６０において、ステップＳ１５０により選択された測定可能モードを用いて生体情報の測定を行う。全身測定モードのときには、右足右手間を流れる電流の電圧、左足左手間を流れる電流の電圧、および体重に応じた電圧を測定する。両足測定モードのときには、右足左足間の間を流れる電流の電圧、および体重に応じた電圧を測定する。両手測定モードのときには、右手左手間を流れる電流の電圧を測定する。
【００４２】
ステップＳ１７０において、足電極１２および手電極２２の電圧の測定値およびユーザ情報に基づいて生体インピーダンスを算出する。また、荷重センサ１５の電圧の測定値が取得されているときには、測定値に基づいて体重を算出する。そして、ユーザ情報および生体インピーダンスおよび体重に基づいて、各種の生体情報を算出する。算出される生体情報としては、例えば「ＢＭＩ」、「体脂肪率」、「筋肉レベル」、「基礎代謝」、「内臓脂肪レベル」、「皮下脂肪率」、「骨量」、「体組成年齢」および「バランス年齢」が挙げられる。
【００４３】
ステップＳ１８０において、生体情報の測定結果および測定が終了した旨を表示部３０に表示する。比較ボタン４２が操作されたきには、今回の測定結果と併せて過去の測定結果および同結果との差を表示する。切替ボタン４３が操作されたときには、表示部３０に表示する測定結果を切替える。
【００４４】
図５を参照して、「測定モード選択処理」について説明する。
ステップＳ３１０において、足通電電極１３および手通電電極２３の通電を同時に開始する。なお、ここでの同時は、足通電電極１３の通電の開始時期と手通電電極２３の通電の開始時期とが一致している状態を示す。
【００４５】
ステップＳ３２０において、足通電電極１３が通電可能な状態か否か、すなわち足通電電極１３の通電が足所定時間ＴＦ以上にわたり継続されているか否かを判定する。また、ステップＳ３３０およびステップＳ３４０において、手通電電極２３が通電可能な状態か否か、すなわち手通電電極２３の通電が手所定時間ＴＨ以上にわたり継続されているか否かを判定する。足所定時間ＴＦおよび手所定時間ＴＨとしては同じ値が設定されている。
【００４６】
足所定時間ＴＦは、ユーザが生体情報の測定のために足電極１２に足を載せていると予測するために十分な時間に相当し、予め設定されている。すなわち、足電極１２を用いて生体情報を適切に測定することが可能か否かを足測定電極１４の電圧の測定値との対比に基づいて判定するための値として設定されている。
【００４７】
手所定時間ＴＨは、ユーザが生体情報の測定のために手電極２２を把持していると予測するために十分な時間に相当し、予め設定されている。すなわち、手電極２２を用いて生体情報を適切に測定することが可能か否かを手測定電極２４の電圧の測定値との対比に基づいて判定するための値として設定されている。
【００４８】
例えば、両手測定モードでの生体情報の測定を行う意志のないユーザが一時的に手電極２２を把持したときにも、手測定電極２４の電圧の測定値が生体内を流れる電流に対応した値を示す。しかしこの場合には、ユーザがいずれ手電極２２を離すため、両手測定モードでの生体情報の測定を許可することは好ましくない。なお、足電極１２についても上記と同様のことがいえる。
【００４９】
そこでステップＳ３２０では、足所定時間ＴＦと通電時間とを比較することにより、足電極１２を用いて生体情報を測定することが困難なときに測定可能モードとして全身または両足測定モードが選択される頻度を低減している。
【００５０】
またステップＳ３３０およびＳ３４０では、手所定時間ＴＨと通電時間とを比較することにより、手電極２２を用いて生体情報を測定することが困難なときに測定可能モードとして全身または両手測定モードが選択される頻度を低減している。
【００５１】
上記各判定処理の結果に応じて、以下の（Ａ）〜（Ｄ）のいずれかの処理を行なう。
（Ａ）足通電電極１３の通電が足所定時間ＴＦ以上にわたり継続されている旨判定したとき、かつ手通電電極２３の通電が手所定時間ＴＨ以上にわたり継続されている旨判定したとき、ステップＳ３５０において全身測定モードを測定可能モードとして選択する。すなわち、足通電電極１３および手通電電極２３が通電可能な状態にあるとき、全身測定モードにより生体情報の測定を行う。
【００５２】
（Ｂ）足通電電極１３の通電が足所定時間ＴＦ以上にわたり継続されている旨判定したとき、かつ手通電電極２３の通電が手所定時間ＴＨ以上にわたり継続されていない旨判定したとき、ステップＳ３６０において両足測定モードを測定可能モードとして選択する。すなわち、足通電電極１３のみが通電可能な状態にあるとき、両足測定モードにより生体情報の測定を行う。
【００５３】
（Ｃ）足通電電極１３の通電が足所定時間ＴＦ以上にわたり継続されていない旨判定したとき、かつ手通電電極２３の通電が手所定時間ＴＨ以上にわたり継続されている旨判定したとき、ステップＳ３７０において両手測定モードを測定可能モードとして選択する。すなわち、手通電電極２３のみが通電可能な状態にあるとき、両手測定モードにより生体情報の測定を行う。
【００５４】
（Ｄ）足通電電極１３の通電が足所定時間ＴＦ以上にわたり継続されていない旨判定したとき、かつ手通電電極２３の通電が手所定時間ＴＨ以上にわたり継続されていない旨判定したとき、ステップＳ３８０において表示部３０にエラーメッセージを表示する。エラーメッセージとしては、各種生体情報の測定が不可能である旨の内容を表示する。
【００５５】
上記（Ｃ）の場合、荷重センサ１５による体重測定ができない状態にあると予測される。一方、生体情報の算出には、体重データが必要となる。そこで、生体情報測定装置１では、体重の情報を取得するための図６の「体重データ選択処理」を行う。
【００５６】
図６を参照して、「体重データ選択処理」について説明する。
ステップＳ４１０において、最新の体重の測定値（以下、「最新測定値」）を記憶部７０から読み出す。
【００５７】
ステップＳ４２０において、最新測定値が現在から過去の所定時期までの期間（以下、「所定期間ＷＸ」）内に測定されたものか否かを判定する。所定期間ＷＸは、過去に測定された体重と現在の実際の体重との乖離が比較的小さいと考えられる期間として予め設定されている。所定期間ＷＸとしては、例えば１週間を設定することができる。
【００５８】
ステップＳ４２０において、最新測定値が所定期間ＷＸ内に測定されたものではない旨判定したとき、ステップＳ４３０において、体重データの入力を促す情報および体重の測定を促す情報を表示部３０に表示する。ステップＳ４２０において否定の判定結果が得られたときには、そのときの最新測定値が現在の体重と大きく乖離している可能性が高いと予測されるため、正確な体重データを取得するために上記の各情報を表示する。これにより、両手測定モードで生体情報を測定する意思がユーザにあるときには、体重データの入力または体重の測定が行われる。
【００５９】
ステップＳ４４０において、第１情報判定として、ユーザにより体重データが新たに入力されたか否か、および第２情報判定として、ユーザにより体重の測定が新たに行われたか否かを判定する。
【００６０】
ステップＳ４４０において、体重データの入力、および体重の測定がいずれも行われていない旨判定したとき、以下の処理を行う。すなわち、ステップＳ４５０において、表示部３０に各情報を表示してから現在までの時間（以下、「表示経過時間ＴＣ」）が所定の表示判定時間ＴＤ以上か否かを判定する。
【００６１】
ステップＳ４５０において、表示経過時間ＴＣが表示判定時間ＴＤ以上である旨判定したとき、ステップＳ４６０の処理において電源スイッチ１６をオフにする。表示経過時間ＴＣが表示判定時間ＴＤ以上のときには、ユーザが両手測定モードにより生体情報の測定を行う準備ができていないと予測される。このため、ステップＳ４６０では電源スイッチ１６をオフにする。
【００６２】
ステップＳ４５０において、表示経過時間ＴＣが表示判定時間ＴＤ未満である旨判定したとき、ステップＳ４４０の処理を再び行う。ステップＳ４５０において否定の判定結果が得られたとき、ユーザにより体重データが入力される可能性または体重が測定される可能性があるため、電源スイッチ１６のオフを保留する。
【００６３】
ステップＳ４２０において、最新測定値が所定期間ＷＸ内に測定されたものである旨判定したとき、ステップＳ４７０において両手測定モードを許可する。ステップＳ４４０において体重の測定値が入力された旨判定したとき、またはステップＳ４４０において体重が測定された旨判定したとき、ステップＳ４７０において両手測定モードを許可する。そして、両手測定モードを許可した後、図４の「基本測定処理」のステップＳ１６０において両手測定モードにより生体情報を測定する。
【００６４】
以上のように、最新測定値が所定期間ＷＸ内に測定されているときには、最新測定値および手測定電極２４により測定された電圧の測定値を用いて生体情報が算出される。また、最新測定値が所定期間ＷＸ内に測定されていないときには、新たに入力された体重データまたは新たに測定された体重の測定値と、手測定電極２４とにより測定された電圧の測定値を用いて生体情報が算出される。
【００６５】
本実施形態の生体情報測定装置１によれば、以下の効果が得られる。
（１）両手測定モードが選択されているときにおいて、最新測定値が所定期間ＷＸ内に測定されたものではないときに生体情報を測定する方法として、例えば次の（ａ）〜（ｃ）のいずれかの処理を行うことが考えられる。
（ａ）足電極１２および手電極２２を用いた生体情報の測定を行うことを促すメッセージを表示する。
（ｂ）手電極２２のみを用いた生体情報の測定を禁止する。
（ｃ）所定期間ＷＸよりも過去の時期に測定された体重の測定値と、手電極２２の電圧の測定値とを用いて生体情報の測定を行う。
【００６６】
（ａ）および（ｂ）の処理を行う場合には、ユーザが両手測定モードによる生体情報の測定を希望しているときに両手測定モードが選択されないため、そうしたユーザの希望に応えられないことになる。
【００６７】
これに対して生体情報測定装置１では、体重データが新たに入力されたとき、または体重が新たに測定されたとき、両手測定モードを継続して生体情報を測定している。これより、ユーザが希望する測定モードにより生体情報が測定される頻度が高くなる。
【００６８】
（ｃ）の処理を行う場合には、測定結果として得られた生体情報が実際の生体の状態を適切に反映していないおそれがある。
これに対して生体情報測定装置１では、新たに入力された体重データ、または新たに測定された体重の測定値を用いて生体情報を算出している。これにより、ユーザに対して適切な生体情報の測定結果を提供することができる。
【００６９】
（２）生体情報測定装置１では、両手測定モードが選択されているときにおいて、最新測定値が所定期間ＷＸ内に測定されたものではないとき、体重データの入力または体重の測定を促す情報を表示部３０に表示する。これにより、両手測定モードを継続して行うために必要な動作をユーザに適切に認識させることができる。
【００７０】
（３）生体情報測定装置１では、足通電電極１３および手通電電極２３の通電が可能か否かを判定する判定処理を行うとともに、この判定処理において足通電電極１３および手通電電極２３の通電を同時に行う。また、判定処理の判定結果に基づいて、全身測定モードおよび両足測定モードおよび両手測定モードの中から測定可能モードを選択する選択処理を行う。また、この選択処理により選択された測定可能モードにより生体情報の測定を行う。
【００７１】
この構成によれば、最初に足通電電極１３の通電状態を判定し、足通電電極１３の通電が確認できない旨判定したときに手通電電極２３の通電状態を判定するものに比べて、測定可能モードを早い時期に選択することができる。また、選択処理により選択した測定可能モードにより生体情報の測定を行うため、生体情報の測定結果をユーザに提供することのできる頻度が高められる。
【００７２】
（４）生体情報測定装置１では、足通電電極１３および手通電電極２３の通電がそれぞれ足所定時間ＴＦおよび手所定時間ＴＨ以上にわたり継続されているか否かを判定し、この判定結果に基づいて測定可能モードを選択する。この構成によれば、足通電電極１３および手通電電極２３のそれぞれの通電時間を考慮することなく通電状態を判定するものに比べて、通電可能な状態にあるか否かを正確に判定することができる。
【００７３】
（５）生体情報測定装置１では、足通電電極１３および手通電電極２３が通電可能な状態にあるとき、両足測定モードおよび両手測定モードに優先して全身測定モードを測定可能モードとして選択している。このように、両足測定モードおよび両手測定モードよりも生体情報の測定精度が高い全身測定モードを選択することにより、ユーザに対してより精度の高い生体情報の測定結果を提供することができる。
【００７４】
（６）生体情報測定装置１では、入力部４１のユーザボタンが操作された後に「測定モード選択処理」を開始する。ユーザボタンが操作された後は、通常であればユーザが当該測定装置１を用いて生体情報の測定を行うための準備が完了していると予測される。従って、上記タイミングで「測定モード選択処理」を開始することにより、適切な状態で測定可能モードの選択を正確に行うことができる。
【００７５】
（第２実施形態）
図７を参照して、本発明の第２実施形態について説明する。
第１実施形態の生体情報測定装置１では、足通電電極１３および手通電電極２３の通電がそれぞれ足所定時間ＴＦおよび手通電時間ＴＨ以上にわたり継続されているか否かを判定し、その結果に基づいて測定可能モードを選択している。
【００７６】
これに対して本実施形態の生体情報測定装置１では、足測定電極１４および手測定電極２４の電圧の測定値がそれぞれ足所定範囲ＶＦ内および手所定範囲ＶＨ内か否かを判定し、その結果に基づいて測定可能モードを選択している。なお以下では、第１実施形態の構成からの変更点を中心に説明し、同実施形態と共通する構成については同一の符合を付してその説明を省略する。
【００７７】
ステップＳ５１０において、第１実施形態の「測定モード選択処理」のステップＳ３１０（図５参照）と同様の処理を行う。
ステップＳ５２０において、足測定電極１４により測定された電圧の測定値が足所定範囲ＶＦ内か否かを判定する。また、ステップＳ５３０およびステップＳ５４０において、手測定電極２４により測定された電圧の測定値が手所定範囲ＶＨ内にあるか否かを判定する。足所定範囲ＶＦおよび手所定範囲ＶＨとしては同じ値が設定されている。
【００７８】
足所定範囲ＶＦは、ユーザの足の状態が生体情報の適切な測定が可能となる状態にあるときに足電極１２により得られる電圧の測定値の範囲に相当し、予め設定されている。すなわち、足電極１２を用いて生体情報を適切に測定することが可能か否かを足電極１２の電圧の測定値との対比に基づいて判定するための値として設定されている。
【００７９】
手所定範囲ＶＨは、ユーザの手の状態が生体情報の適切な測定が可能となる状態にあるときに手電極２２により得られる電圧の測定値の範囲に相当し、予め設定されている。すなわち、手電極２２を用いて生体情報を適切に測定することが可能か否かを手電極２２の電圧の測定値との対比に基づいて判定するための値として設定されている。
【００８０】
例えば、ユーザが手袋を装着した状態で手電極２２を把持しているときには、素手のときに比べて電圧の測定値が過度に小さくなる。また、ユーザの手が濡れた状態で手電極２２を把持しているときには、濡れていないときに比べて電圧の測定値が過度に大きくなる。そして、このような状態で得られた電圧値はユーザの生体インピーダンスを適切に反映していないため、生体情報の演算に用いられることは好ましくない。なお、足電極１２についても上記と同様のことがいえる。
【００８１】
そこでステップＳ５２０では、足所定範囲ＶＦと電圧の測定値とを比較することにより、足電極１２を用いて生体情報を正確に測定することが困難なときに測定可能モードとして全身または両足測定モードが選択される頻度を低減している。
【００８２】
また、ステップＳ５３０およびＳ５４０では、手所定範囲ＶＨと電圧の測定値とを比較することにより、手電極２２を用いて生体情報を正確に測定することが困難なときに測定可能モードとして全身または両手測定モードが選択される頻度を低減している。
【００８３】
上記各判定処理の結果に応じて、以下の（Ａ）〜（Ｄ）の処理を行なう。
（Ａ）足測定電極１４により測定された電圧の測定値が足所定範囲ＶＦ内にある旨判定し、かつ手測定電極２４により測定された電圧の測定値が手所定範囲ＶＨ内にある旨判定したとき、ステップＳ５５０において全身測定モードを測定可能モードとして選択する。すなわち、足電極１２および手電極２２を用いて生体情報を適切に測定することが可能な状態にあるとき、全身測定モードにより生体情報の測定を行う。
【００８４】
（Ｂ）足測定電極１４により測定された電圧の測定値が足所定範囲ＶＦ内にある旨判定し、かつ手測定電極２４により測定された電圧の測定値が手所定範囲ＶＨ内にない旨判定したとき、ステップＳ５６０において両足測定モードを測定可能モードとして選択する。すなわち、足電極１２のみを用いて生体情報を適切に測定することが可能な状態にあるとき、両足測定モードにより生体情報の測定を行う。
【００８５】
（Ｃ）足測定電極１４により測定された電圧の測定値が足所定範囲ＶＦ内にない旨判定し、かつ手測定電極２４により測定された電圧の測定値が手所定範囲ＶＨ内にある旨判定したとき、ステップＳ５７０において両手測定モードを測定可能モードとして選択する。すなわち、手電極２２のみを用いて生体情報を適切に測定することが可能な状態にあるとき、両手測定モードにより生体情報の測定を行う。
【００８６】
（Ｄ）足測定電極１４により測定された電圧の測定値が足所定範囲ＶＦ内にない旨判定したとき、かつ手測定電極２４により測定された電圧の測定値が手所定範囲ＶＨ内にない旨判定したとき、ステップＳ５８０において表示部３０にエラーメッセージを表示する。エラーメッセージとしては、各種生体情報の測定が不可能である旨の内容を表示する。
【００８７】
（その他の実施形態）
本発明の生体情報測定装置の実施態様は、上記各実施形態にて例示した内容に限られるものではなく、例えば以下に示すように変更することもできる。また、以下に示される各変形例は、対応する実施形態にのみ適用されるものではなく、異なる変形例同士を互いに組み合わせて実施することもできる。
【００８８】
・上記第１実施形態の「測定モード選択処理」に上記第２実施形態の「測定モード選択処理」を組み合わせることもできる。この場合には、第１実施形態の「測定モード選択処理」に次の（Ａ）および（Ｂ）の変更が加えられる。
（Ａ）ステップＳ３２０において、足通電電極１３の通電が足所定時間ＴＦ以上にわたり継続されているか否か、および足測定電極１４の電圧の測定値が足所定範囲ＶＦ内にあるか否かを判定する。
（Ｂ）ステップＳ３３０およびＳ３４０において、手通電電極２３の電圧が手所定時間ＴＨ以上にわたり継続されているか否か、および手測定電極２４の電圧の測定値が手所定範囲ＶＨ内にあるか否かを判定する。
【００８９】
・上記第１実施形態の「測定モード選択処理」では、足所定時間ＴＦおよび手所定時間ＴＨを同じ値に設定したが、足所定時間ＴＦを手所定時間ＴＨよりも大きい値または小さい値に設定することもできる。
【００９０】
・上記第２実施形態の「測定モード選択処理」では、足所定範囲ＶＦおよび手所定範囲ＶＨを同じ値に設定したが、足所定範囲ＶＦを手所定範囲ＶＨよりも大きい値または小さい値に設定することもできる。
【００９１】
・上記第１および第２実施形態の「測定モード選択処理」について、ステップＳ３５０およびステップＳ５５０の内容を次のように変更することもできる。すなわち、全身測定モードを選択する処理に代えて、両足測定モードまたは両手測定モードを選択することもできる。
【００９２】
・上記第１および第２実施形態の「測定モード選択処理」について、ステップＳ３１０およびステップＳ５１０の内容を次のように変更することもできる。すなわち、足電極１２の通電の開始時期および手電極２２の通電の開始時期を同じ時期に設定する構成に代えて、次の（Ａ）または（Ｂ）を採用することもできる。なお、以下の各構成も足通電電極１３および手通電電極２３の通電を同時に行う場合に含まれる。
（Ａ）足電極１２の通電の開始後かつ足電極１２の通電の実行中に手電極２２の通電を開始する。
（Ｂ）手電極２２の通電の開始後かつ手電極２２の通電の実行中に足電極１２の通電を開始する。
【００９３】
・上記第１および第２実施形態の「測定モード選択処理」では、足電極１２および手電極２２の通電状態に基づいて測定可能モードを選択したが、体重測定が可能な状態にあるか否かの判定結果も加えて測定可能モードを選択することもできる。この場合には、次の（Ａ）〜（Ｃ）の少なくとも１つの処理が各実施形態の「測定モード選択処理」に加えられる。
【００９４】
（Ａ）ステップＳ３３０またはＳ５３０の判定処理により肯定の判定結果が得られたとき、荷重センサ１５による体重測定が可能な状態にあるか否かを判定する。測定が可能な状態にある旨判定したとき、ステップＳ３５０またはＳ５５０において全身測定モードを選択する。一方、測定ができない状態にある旨判定したとき、測定可能モードの選択および生体情報の測定を行わない。
【００９５】
（Ｂ）ステップＳ３３０またはＳ５３０の判定処理により否定の判定結果が得られたとき、荷重センサ１５による体重測定が可能な状態にあるか否かを判定する。測定が可能な状態にある旨判定したとき、ステップＳ３６０またはＳ５６０において両足測定モードを選択する。一方、測定ができない状態にある旨判定したとき、測定可能モードの選択および生体情報の測定を行わない。
【００９６】
（Ｃ）ステップＳ３４０またはＳ５４０の判定処理により肯定の判定結果が得られたとき、荷重センサ１５による体重測定が可能な状態にあるか否かを判定する。測定が可能な状態にある旨判定したとき、ステップＳ３７０またはＳ５７０において両手測定モードを選択する。一方、測定ができない状態にある旨判定したとき、測定可能モードの選択および生体情報の測定を行わない。
【００９７】
・上記各実施形態では、生体情報を測定するモードとして、全身測定モードおよび両足測定モードおよび両手測定モードを生体情報測定装置１に設けるものとしたが、次の測定モードを設けることもできる。すなわち、右足右手間の電圧、左足右手間の電圧、左足左手間の電圧、および右足左手間の電圧を測定する測定モードを設けることもできる。
【００９８】
・上記各実施形態の「体重データ選択処理」では、最新測定値が所定期間ＷＸ内に測定されたものではない旨判定したとき、第１情報判定および第２情報判定を行うものとしたが、これら判定の一方を省略することもできる。
【００９９】
・上記各実施形態の「体重データ選択処理」では、最新測定値が所定期間ＷＸ内に測定されたものではない旨判定したとき、体重データの入力を促す情報および体重の測定を促す情報を表示部３０に表示したが、これら情報の一方の表示を省略することもできる。また、上記の判定結果を表示部３０によりユーザに提供する方法に代えて、音または光または振動によりユーザに上記の判定結果をユーザに提供することもできる。
【０１００】
・上記各実施形態の「体重データ選択処理」では、最新測定値が所定期間ＷＸ内に測定された値のときには同測定値を用いて生体情報を算出するものとしたが、最新測定値に代えて、所定期間ＷＸ内に測定された別の値を用いて生体情報を算出することもできる。
【０１０１】
・上記各実施形態の「基本測定処理」では、ユーザボタンが操作された後に「測定モード選択処理」を開始するものとしたが、同処理の開始の時期をユーザボタンが操作される前に変更することもできる。
【０１０２】
・上記各実施形態では、足電極１２および手電極２２を生体情報測定装置１に設けたが、足電極１２を省略することもできる。
・上記各実施形態では、生体情報を測定するための測定モードとして、全身測定モードおよび両足測定モードおよび両手測定モードを生体情報測定装置１に設けたが、次のように変更することもできる。すなわち、全身測定モードを省略することもできる。さらに、両足測定モードを省略することもできる。
【０１０３】
・上記各実施形態では、生体情報として体重および生体インピーダンスを測定するための機能を生体情報測定装置１に設けたが、これに加えて、皮下脂肪量を測定するための機能を同装置１に設けることもできる。この場合、例えば光学式の測定装置が把持本体部２５の背面に設けられる。
【０１０４】
・上記各実施形態では、表示部３０および入力部４１および比較ボタン４２および切替ボタン４３の各構成要素を把持装置２０に設けたが、把持装置２０に代えてまたは加えて本体装置１０に上記各構成要素を設けることもできる。
【０１０５】
・上記各実施形態では、本体装置１０に制御部５０を設けたが、本体装置１０に代えてまたは加えて把持装置２０に制御部５０を設けることもできる。
・上記各実施形態では、本体装置１０と把持装置２０との間でコード１８により通信を行うものとしたが、無線通信（例えば、光または電波）の機能を本体装置１０および把持装置２０にもたせることもできる。この場合、コード１８を省略することもできる。
【符号の説明】
【０１０６】
１…生体情報測定装置、１１…載置部、１２…足電極、１３…足通電電極、１４…足測定電極、１５…荷重センサ、２２…手電極、２３…手通電電極、２４…手測定電極、３０…表示部、５０…制御部、５１…演算部。
【図１】
0005443297.tif 000002
【図２】
0005443297.tif 000003
【図３】
0005443297.tif 000004
【図４】
0005443297.tif 000005
【図５】
0005443297.tif 000006
【図６】
0005443297.tif 000007
【図７】
0005443297.tif 000008